(57)【要約】【課題】単一のＰＷＭ信号出力ポートのみを使用した場合であっても、複数の音色を他励振ブザーから放音させる。【解決手段】ＰＷＭ信号を徐々に減衰させながら他励振ブザー６への電流の供給をオンオフ制御するチャイム音発生回路２と、ＰＷＭ信号の供給を停止してチャイム音発生回路２による他励振ブザー６への電流の供給を禁止するチャイム音禁止回路３と、ＰＷＭ信号に応じて他励振ブザー６への電流の供給をオンオフ制御するブザー音発生回路４と、ＰＷＭ信号の供給を停止してブザー音発生回路４による他励振ブザー６への電流の供給を禁止するブザー音禁止回路５とを備える。マイコン１では、チャイム音発生回路２及びブザー音発生回路４に同一のＰＷＭ信号を供給し、チャイム音禁止回路３を駆動させてブザー音を発生させる制御、又はブザー音禁止回路５を駆動させてチャイム音を発生させる制御をする。【選択図】  図１
2004151180.tif 000002
【特許請求の範囲】
【請求項１】
交流信号を徐々に減衰させながら増幅回路をオンオフ駆動して、当該増幅回路に接続された他励振ブザー回路への電流の供給をオンオフ制御してチャイム音を発生させるチャイム音発生回路と、
上記増幅回路への交流信号の供給を停止して、上記チャイム音発生回路による上記他励振ブザー回路への電流の供給を禁止するチャイム音禁止回路と、
上記交流信号に応じてスイッチ回路をオンオフ駆動して、上記スイッチ回路に接続された他励振ブザー回路への電圧供給をオンオフ制御してブザー音を発生させるブザー音発生回路と、
上記スイッチ回路への交流信号の供給を停止して、上記ブザー音発生回路による上記他励振ブザー回路への電圧供給を禁止するブザー音禁止回路と、
上記チャイム音発生回路及びブザー音発生回路に同一の上記交流信号を供給するとともに、上記チャイム音禁止回路信号を選択的に供給し、
上記チャイム音禁止回路を駆動させてブザー音を発生させる制御、又はブザー音禁止回路を駆動させてチャイム音を発生させる制御をする制御手段と
を備えることを特徴とする音発生装置。
【請求項２】
上記チャイム音発生回路は、上記増幅回路と上記交流信号発生回路とに接続されたコンデンサを更に備え、
上記制御手段は、チャイム音禁止回路を駆動させた状態にて上記コンデンサを放電させた後に、チャイム音禁止回路を駆動解除すると共にブザー音禁止回路を駆動させて交流信号を出力してチャイム音を発生させること
を特徴とする請求項１に記載の音発生装置。
【発明の詳細な説明】
【０００１】
【発明の属する技術分野】
本発明は、複数種類の音を発生させるための音発生装置に関する。
【０００２】
【従来の技術】
従来より、例えば警報種類の相違をユーザに伝えるために、チャイム音やブザー音などの複数種類の音を発生させるための技術が知られている。
【０００３】
この技術では、マイコンにより他励振ブザーを駆動して、チャイム音、ブザー音の２種類の音色を発生させる場合に、マイコンの２つのＰＷＭ（Ｐｕｌｓｅ  Ｗｉｄｔｈ  Ｍｏｄｕｌａｔｉｏｎ）信号出力ポートを使用していた。すなわち、各ＰＷＭ信号出力ポートから出力されるＰＷＭ信号は、チャイム音発生回路、ブザー音発生回路のそれぞれに入力されて、他励振ブザーを駆動していた。
【０００４】
【特許文献１】
特開平５−２８２５６４号公報
【０００５】
【特許文献２】
特公平６−３１９９５号公報
【０００６】
【発明が解決しようとする課題】
しかしながら、上述の従来の技術では、他励振ブザーから放音する音色の種類数と同数のＰＷＭ信号出力ポートを使用するために、単一のマイコンを使用して例えばモータ駆動用のＰＷＭ信号を出力させたい場合には、更なるＰＷＭ信号出力ポートが必要となってしまう。
【０００７】
通常、マイコンには２乃至３のＰＷＭ信号出力ポートしか設けられていないのが現状であり、他励振ブザーのために複数のＰＷＭ信号出力ポートを使用することになってしまい、マイコンのＰＷＭ信号出力ポートを他の用途に使用できないという問題があった。
【０００８】
そこで、本発明は、上述したような実情に鑑みて提案されたものであり、単一のＰＷＭ信号出力ポートのみを使用した場合であっても、複数の音色を他励振ブザーから放音させることができる音発生装置を提供することを目的とする。
【０００９】
【課題を解決するための手段】
上述の課題を解決するために、本発明では、交流信号を徐々に減衰させながら増幅回路をオンオフ駆動して、当該増幅回路に接続された他励振ブザー回路への電流の供給をオンオフ制御してチャイム音を発生させるチャイム音発生回路と、上記増幅回路への交流信号の供給を停止して、上記チャイム音発生回路による上記他励振ブザー回路への電流の供給を禁止するチャイム音禁止回路と、上記交流信号に応じてスイッチ回路をオンオフ駆動して、上記スイッチ回路に接続された他励振ブザー回路への電圧供給をオンオフ制御してブザー音を発生させるブザー音発生回路と、上記スイッチ回路への交流信号の供給を停止して、上記ブザー音発生回路による上記他励振ブザー回路への電圧供給を禁止するブザー音禁止回路とを備え、各回路を制御手段により制御することにより、単一の交流信号を使用してブザー音又はチャイム音を発生させる。
【００１０】
このとき、制御手段では、上記チャイム音発生回路及びブザー音発生回路に同一の上記交流信号を供給するとともに、上記チャイム音禁止回路信号を選択的に供給し、上記チャイム音禁止回路を駆動させてブザー音を発生させる制御、又はブザー音禁止回路を駆動させてチャイム音を発生させる制御をする。
【００１１】
【発明の実施の形態】
以下、本発明の実施の形態について図面を参照しながら詳細に説明する。
【００１２】
本発明は、例えば図１に示すように構成された音発生装置に適用される。この音発生装置は、マイコン１に、チャイム音発生回路２、チャイム音禁止回路３、ブザー音発生回路４、ブザー音禁止回路５が接続され、チャイム音発生回路２及びブザー音発生回路４に他励振ブザー６が接続されて構成されている。
【００１３】
マイコン１は、音発生装置の制御手段として機能し、チャイム音発生回路２、チャイム音禁止回路３、ブザー音発生回路４及びブザー音禁止回路５の動作を制御することにより他励振ブザー６を駆動制御する。
【００１４】
このマイコン１は、チャイム音発生回路２及びブザー音発生回路４と接続された単一のＰＷＭ信号出力ポート１１、チャイム音禁止回路３、ブザー音禁止回路５のそれぞれに接続されたオンオフ信号出力ポート１２、オンオフ信号出力ポート１３を備える。
【００１５】
マイコン１は、他励振ブザー６を駆動してチャイム音又はブザー音を発生させるときに、内部のＰＷＭ生成回路（図示せず）によってＰＷＭ信号を生成する。そして、マイコン１では、ＰＷＭ信号出力ポート１１を介してチャイム音発生回路２及びブザー音発生回路４にＰＷＭ信号を出力する。
【００１６】
マイコン１は、ブザー音を発生させる場合にはオンオフ信号出力ポート１３からオン信号を出力しない状態にして、ＰＷＭ信号出力ポート１１からＰＷＭ信号を出力すると共に、オンオフ信号出力ポート１２からオン信号を出力して、チャイム音禁止回路３を駆動させる。これにより、チャイム音禁止回路３では、チャイム音発生回路２の動作を停止させてチャイム音の発生を禁止する。このようにチャイム音発生回路２の動作を停止させることで、ブザー音発生回路４のみが駆動して、ブザー音発生回路４によってＰＷＭ信号を用いて他励振ブザー６を駆動してブザー音を発生させる。
【００１７】
これに対し、チャイム音を発生させる場合には、マイコン１は、ＰＷＭ信号出力ポート１１からＰＷＭ信号を出力すると共に、オンオフ信号出力ポート１２からオン信号を出力しない状態にしてオンオフ信号出力ポート１３からオン信号を出力して、ブザー音禁止回路５を駆動させる。これにより、ブザー音禁止回路５では、ブザー音発生回路４の動作を停止させてブザー音の発生を禁止する。このようにブザー音発生回路４の動作を停止させることで、チャイム音発生回路２のみが駆動して、チャイム音発生回路２によってＰＷＭ信号を用いて他励振ブザー６を駆動してチャイム音を発生させる。
【００１８】
チャイム音発生回路２は、ＰＷＭ信号出力ポート１１にトランジスタＴＲ１が接続され、このトランジスタＴＲ１のコレクタ端子に、５Ｖ電源系が接続されたトランジスタＴＲ２が接続されている。
【００１９】
このチャイム音発生回路２では、ＰＷＭ信号出力ポート１１からのＰＷＭ信号のレベルがＨ（高）レベルである場合、トランジスタＴＲ１及びトランジスタＴＲ２がオン状態になり、５Ｖ電源系からの電流がトランジスタＴＲ２のコレクタ端子から出力される。また、ＰＷＭ信号出力ポート１１からのＰＷＭ信号のレベルがＬ（低）レベルである場合、トランジスタＴＲ１及びトランジスタＴＲ２がオフ状態になる。
【００２０】
また、チャイム音発生回路２には、トランジスタＴＲ２のコレクタ端子とトランジスタＴＲ３のベース端子との間に充電用コンデンサ２２が設けられている。この充電用コンデンサ２２は、５Ｖ電源系からの電流により充電され、チャイム音禁止回路３のトランジスタＴＲ４がオン状態のときに放電する。
【００２１】
トランジスタＴＲ２がオン状態になり、充電用コンデンサ２２に充電電流が流れると、この充電電流がトランジスタＴＲ３のベース端子に供給され、トランジスタＴＲ３がオン状態になる。トランジスタＴＲ２がオフ状態になり、充電用コンデンサ２２に充電電流が流れなくなると、トランジスタＴＲ３がオフ状態になる。したがって、トランジスタＴＲ３は、ＰＷＭ信号によってオンオフ駆動される。なお、充電用コンデンサ２２が充電されるとともに、充電電流は低下する。トランジスタＴＲ３は、増幅素子として機能し、充電用コンデンサ２２に流れる充電電流が低下すると、トランジスタＴＲ３のコレクタ電流も充電電流の低下に伴って低下する。
【００２２】
チャイム音禁止回路３は、オンオフ信号出力ポート１２と接続されたトランジスタＴＲ４を備え、トランジスタＴＲ４のエミッタ端子を、トランジスタＴＲ２のエミッタ端子と充電用コンデンサ２２との間に接続している。このトランジスタＴＲ４は、オンオフ信号出力ポート１２からのオンオフ信号によりオン状態にされた場合には、５Ｖ電源系の電圧を接地端子２３に引き込むことにより、充電用コンデンサ２２への電流の供給を停止する。これにより、チャイム音禁止回路３は、充電用コンデンサ２２からトランジスタＴＲ３への電流の供給を停止して、チャイム音発生回路２の動作を停止させる。
【００２３】
ブザー音発生回路４は、ＰＷＭ信号出力ポート１１にトランジスタＴＲ５のベース端子が接続され、このトランジスタＴＲ５のコレクタ端子に他励振ブザー６が接続されて構成されている。
【００２４】
このトランジスタＴＲ５は、ＰＷＭ信号がＨレベルである場合にオン状態になり、他励振ブザー６に接続されている１２Ｖ電源系の電源から、他励振ブザー６に電流供給をする。また、トランジスタＴＲ５は、ＰＷＭ信号がＬレベルである場合にオフ状態になり、他励振ブザー６への電流供給を停止する。このトランジスタＴＲ５は、ＰＷＭ信号のオンオフに応じてオンオフ駆動することで、他励振ブザー６からブザー音を発生させる。
【００２５】
ブザー音禁止回路５は、オンオフ信号出力ポート１３と接続されたトランジスタＴＲ６を備え、トランジスタＴＲ６のコレクタ端子が、ＰＷＭ信号出力ポート１１とトランジスタＴＲ５に接続されている。このトランジスタＴＲ６は、オンオフ信号出力ポート１３からのオンオフ信号によりオン状態にされた場合には、ＰＷＭ信号出力ポート１１からのＰＷＭ信号を接地端子２４に引き込むことにより、トランジスタＴＲ５のオン駆動を停止する。これにより、他励振ブザー６への１２Ｖ電源系からの電流供給を停止する。
【００２６】
このように構成された音発生装置の動作を図２のタイミングチャートを参照して説明する。
【００２７】
先ず、ブザー音を他励振ブザー６により放音させる場合について説明する。
【００２８】
ブザー音を時刻ｔ１〜時刻ｔ２に亘って発生させる場合には、マイコン１により、ＰＷＭ信号出力ポート１１からＰＷＭ信号を出力すると同時に（図２（ａ））、チャイム音の放音を禁止するためにオンオフ信号出力ポート１２からＨレベルの信号を出力して（図２（ｂ））、トランジスタＴＲ４をオン状態にする（図２（ｅ））。オンオフ出力ポート１３からは、Ｌレベルの信号が出力され、トランジスタＴＲ６はオフ状態に維持される。
【００２９】
すると、トランジスタＴＲ４によりチャイム音発生回路２の動作が停止し、ＰＷＭ信号出力ポート１１からのＰＷＭ信号によりブザー音発生回路４が動作し、ＰＷＭ信号がトランジスタＴＲ５のベース端子に供給される（図２（ｆ））。これにより、トランジスタＴＲ５が時刻ｔ１〜ｔ２に亘って略同一の振幅にてオンオフして他励振ブザー６によりブザー音を発生させる（図２（ｈ））。
【００３０】
これに対し、チャイム音を時刻ｔ４〜時刻ｔ５に亘って発生させる場合には、先ず、マイコン１は、時刻ｔ４にＰＷＭ信号を出力する前の時刻ｔ３からオンオフ信号出力ポート１２からＨレベルの信号を出力させる（図２（ｂ））。これにより、トランジスタＴＲ４をオン状態にし、充電用コンデンサ２２を放電した後に、マイコン１は、オンオフ信号出力ポート１３からＨレベルの信号を出力させることで（図２（ｃ））、トランジスタＴＲ６をオン状態にする（図２（ｇ））。これにより、ブザー音発生回路４の動作を停止する。
【００３１】
次いで時刻ｔ４に、ＰＷＭ信号をＰＷＭ信号出力ポート１１から出力してチャイム音発生回路２に供給すると（図２（ａ））、充電用コンデンサ２２が次第に充電されることによりトランジスタＴＲ３のベース端子に供給されるＰＷＭ信号に振幅値が次第に低下し（図２（ｄ））、これに応じて１２Ｖ電源系から他励振ブザー６に供給される電流が次第に低下する（図２（ｈ））。これにより、他励振ブザー６からチャイム音を発生させる。
【００３２】
このような音発生装置によれば、マイコン１からのＰＷＭ信号をチャイム音発生回路２及びブザー音発生回路４に供給し、チャイム音禁止回路３又はブザー音禁止回路５によりチャイム音発生回路２又はブザー音発生回路４の動作を停止するようにしたので、単一のＰＷＭ信号出力ポート１１によって他励振ブザー６にて異なる音色の音を放音させることができる。
【００３３】
また、この音発生装置によれば、充電用コンデンサ２２の充電時定数を利用してチャイム音を発生させることができる。
【００３４】
【発明の効果】
本発明に係る音発生装置によれば、制御手段からの交流信号をチャイム音発生回路及びブザー音発生回路に供給し、チャイム音禁止回路又はブザー音禁止回路によりチャイム音発生回路又はブザー音発生回路の動作を停止するようにしたので、単一の交流信号出力ポートによって他励振ブザーにて異なる音色を放音させることができる。
【図面の簡単な説明】
【図１】本発明を適用した音発生装置の構成を示す回路図である。
【図２】本発明を適用した音発生装置の動作を示すタイミングチャートである。
【符号の説明】
１  マイコン
２  チャイム音発生回路
３  チャイム音禁止回路
４  ブザー音発生回路
５  ブザー音禁止回路
６  他励振ブザー
１１  ＰＷＭ信号出力ポート
１２，１３  オンオフ信号出力ポート
２１，２３，２４  接地端子
２２  充電用コンデンサ
【図１】
2004151180.tif 000003
【図２】
2004151180.tif 000004